(57)【要約】【課題】NFC用のアンテナ装置において、通信品質、ユーザの使用感などを安定させる技術を提供する。【解決手段】アンテナ装置５００は、アンテナコイル３を備え、アンテナコイル３は、少なくとも一つの開口部を含む。アンテナ装置５００は、アンテナコイル３の開口部に対し、磁性体コアの挿入を受け付けるよう構成され、指向性を有する磁束ループを形成する。指向性を有する磁束ループの方向は、少なくとも２方向に分散され、複数の磁性体コアそれぞれの磁束ループを合成した方向が、アンテナコイル３の平面に対し、略垂直方向となるよう磁性体コア１１、磁性体コア１２が各開口部に挿入されている。これらアンテナ装置５００は、例えば通信端末装置のカバーに取り付けられる。【選択図】図１
2015032840.tif 000002
【特許請求の範囲】
【請求項１】
通信端末装置であって、
アンテナ装置と、
前記アンテナ装置を収納または保持する筺体とを備え、
前記アンテナ装置は、
開口部を有するアンテナコイルと、
前記アンテナコイルの前記開口部に挿入される複数の磁性体コアとを含み、
前記アンテナコイルは、複数の方向から前記磁性体コアの挿入を受け付けて指向性を有する磁束ループを形成し、
前記複数の方向から磁性体コアが挿入されることによって形成される前記磁束ループの指向性の方向が、少なくとも２方向に分散され、各磁束ループの指向性の方向を合成した方向が、前記アンテナコイルの面に対して略垂直方向となるように、前記磁性体コアが前記開口部に挿入されている、通信端末装置。
【請求項２】
少なくとも２つの前記磁性体コアが、１の前記開口部に対してそれぞれ異なる方向から挿入され、前記１の開口部に挿入された各磁性体コアが形成する前記磁束ループそれぞれを合成した方向が、前記アンテナコイルの面に対して略垂直方向となるよう構成されている、請求項１記載の通信端末装置。
【請求項３】
通信端末装置であって、
アンテナ装置と、
前記アンテナ装置を収納または保持する筺体とを備え、
前記アンテナ装置は、
複数の開口部を有するアンテナコイルと、
前記アンテナコイルの前記開口部に挿入される磁性体コアとを含み、
前記アンテナコイルは、複数の方向から前記磁性体コアの挿入を受け付けて指向性を有する磁束ループを形成し、
前記磁性体コアが前記複数の開口部に挿入されることにより、各開口部において形成される前記磁束ループそれぞれの方向が少なくとも２方向に分散され、前記磁束ループそれぞれを合成した方向が、前記アンテナコイル面に対して略垂直方向となるよう構成されている、通信端末装置。
【請求項４】
アンテナ装置であって、
開口部を有するアンテナコイルと、
前記アンテナコイルの前記開口部に挿入される複数の磁性体コアとを含み、
前記アンテナコイルは、複数の方向から前記磁性体コアの挿入を受け付けて指向性を有する磁束ループを形成し、
前記複数の方向から磁性体コアが挿入されることによって形成される前記磁束ループの指向性の方向が、少なくとも２方向に分散され、各磁束ループの指向性の方向を合成した方向が、前記アンテナコイルの面に対して略垂直方向となるように、前記磁性体コアが前記開口部に挿入されている、アンテナ装置。
【請求項５】
アンテナ装置であって、
複数の開口部を有するアンテナコイルと、
前記アンテナコイルの前記開口部に挿入される磁性体コアとを含み、
前記アンテナコイルは、複数の方向から前記磁性体コアの挿入を受け付けて指向性を有する磁束ループを形成し、
前記複数の方向から磁性体コアが挿入されることによって形成される前記磁束ループの指向性の方向が、少なくとも２方向に分散され、各磁束ループの指向性の方向を合成した方向が、前記アンテナコイルの面に対して略垂直方向となるように、前記磁性体コアが前記開口部に挿入されている、アンテナ装置。
【発明の詳細な説明】
【技術分野】
【０００１】
本発明は、RFID（Radio  Frequency  Identification）や非接触ICカードなどの、電磁界信号を介して通信装置同士が通信するシステムに用いられるアンテナ、および、このアンテナを備えた通信端末装置に関する。
【背景技術】
【０００２】
近年、RFIDなど、電磁界信号を使って通信するシステムによる通信装置が広く普及している。かかるシステムは、リーダライタ装置と、通信装置とが非接触で通信し、情報を伝送する。
【０００３】
これら電磁界信号を使って通信するシステムは、Felica（登録商標）、NFC（Near  Field  Communication）として利用が広がっている。また、NFCに対応したスマートフォンなどの通信装置が普及しつつあり、NFCによる通信機能が利用される局面も増えつつある。
【０００４】
NFC用のアンテナ装置に関する技術として、例えば、アンテナコイルに磁性体コアを挿入することで、アンテナ装置の性能を向上させる技術が開示されている。例えば、特開２０１２−６０６２６号公報（特許文献１）は、通信相手との位置関係（特に角度関係）によらず、通信性能の劣化を抑え、高角度範囲で通信相手との通信が可能な通信端末装置を開示している。
【先行技術文献】
【特許文献】
【０００５】
【特許文献１】特開２０１２−６０６２６号公報
【発明の概要】
【発明が解決しようとする課題】
【０００６】
特許文献に示されるように、アンテナ装置は、アンテナ面となるループアンテナに磁性体コアを挿入することにより、磁束の向きを一方向に集中させている。しかし、この磁束の向きは、アンテナ面に対し、垂直方向ではなく、垂直方向から傾いた向きを有している。そのため、これらループアンテナに対向して通信する別のNFCアンテナの通信特性が、NFCアンテナの位置およびNFCアンテナのサイズによって影響を受けることがある。
【０００７】
例えば、ループアンテナに対向して通信するNFCアンテナが、ループアンテナの磁束の集中する方向に位置している場合は、ループアンテナに近い位置における通信特性は比較的良好である。しかし、NFCアンテナが、ループアンテナの磁束の集中する方向に位置していない場合は、通信特性が良好ではなくなる。
【０００８】
さらに、ループアンテナに対向して通信するNFCアンテナのアンテナサイズによっても、ループアンテナとNFCアンテナとの通信に適した位置が異なる。すなわち、NFCアンテナの開口面積が比較的小さい場合は、ループアンテナに近い位置の通信特性は良好であるが、NFCアンテナの開口面積が比較的大きい場合は、ループアンテナから磁束の集中する方向に離れた位置の方が通信特性が良好となる。
【０００９】
一方、電磁界信号を使って通信するシステムにおける通信装置は、リーダライタ装置、NFCチップを搭載した携帯電話機、タグカードなど様々なものが既に広く普及している。NFCなどの、電磁界信号を介して通信するシステムに対応した製品を新たに開発する場合、既存のFelica（登録商標）対応機器等と容易に通信できることが望ましい。しかし、これらの通信装置に備わるアンテナの開口面積は、例えば、700mm^2〜3500mm^2など様々なサイズがある。また、通信装置において、ループアンテナの存在位置を示すためのマークは、通常、製品の筺体上の１点に定められる。例えば、スマートフォンの背面に取り付ける電池カバーの内側にループアンテナを配置して、ループアンテナの位置に対応する電池カバーの外側にマークを印字する。また、NFCマークに対して良好な通信品質が得られる位置は、NFCアンテナのサイズ、開口面積等によって異なることがある。そのため、ユーザにとっては、NFCを用いて通信を行う際、通信品質が良好な位置が装置によって異なることとなるおそれがある。その結果、NFCを用いた通信の通信品質や、ユーザの使用感が安定せず、ユーザにとって、NFCが使いにくいものとなるおそれがある。
【００１０】
そこで、アンテナ装置において、通信品質を向上させる技術を提供することを目的とする。
【課題を解決するための手段】
【００１１】
一実施形態に従う通信端末装置は、アンテナ装置と、アンテナ装置を収納または保持する筺体とを備え、アンテナ装置は、開口部を有するアンテナコイルと、アンテナコイルの開口部に挿入される複数の磁性体コアとを含み、アンテナコイルは、複数の方向から磁性体コアの挿入を受け付けて指向性を有する磁束ループを形成し、複数の方向から磁性体コアが挿入されることによって形成される磁束ループの指向性の方向が、少なくとも２方向に分散され、各磁束ループの指向性の方向を合成した方向が、アンテナコイルの面に対して略垂直方向となるように、磁性体コアが開口部に挿入されている。
【００１２】
別の実施形態に従う通信端末装置は、アンテナ装置と、アンテナ装置を収納または保持する筺体とを備え、アンテナ装置は、複数の開口部を有するアンテナコイルと、アンテナコイルの開口部に挿入される磁性体コアとを含み、アンテナコイルは、複数の方向から磁性体コアの挿入を受け付けて指向性を有する磁束ループを形成し、磁性体コアが複数の開口部に挿入されることにより、各開口部において形成される磁束ループそれぞれの方向が少なくとも２方向に分散され、磁束ループそれぞれを合成した方向が、アンテナコイル面に対して略垂直方向となるよう構成されている。
【００１３】
別の実施形態に従うアンテナ装置は、開口部を有するアンテナコイルと、アンテナコイルの開口部に挿入される複数の磁性体コアとを含み、アンテナコイルは、複数の方向から磁性体コアの挿入を受け付けて指向性を有する磁束ループを形成し、複数の方向から磁性体コアが挿入されることによって形成される磁束ループの指向性の方向が、少なくとも２方向に分散され、各磁束ループの指向性の方向を合成した方向が、アンテナコイルの面に対して略垂直方向となるように、磁性体コアが開口部に挿入されている。
【００１４】
別の実施形態に従うアンテナ装置は、複数の開口部を有するアンテナコイルと、アンテナコイルの開口部に挿入される磁性体コアとを含み、アンテナコイルは、複数の方向から磁性体コアの挿入を受け付けて指向性を有する磁束ループを形成し、複数の方向から磁性体コアが挿入されることによって形成される磁束ループの指向性の方向が、少なくとも２方向に分散され、各磁束ループの指向性の方向を合成した方向が、アンテナコイルの面に対して略垂直方向となるように、磁性体コアが開口部に挿入されている。
【発明の効果】
【００１５】
上記一実施形態によると、ループアンテナに対し、磁性体コアを複数の方向から挿入して磁束を２方向以上とし、それぞれの磁束の合成方向をアンテナ平面の略垂直方向に向けることができる。このように、アンテナ平面の略垂直方向に磁束が向いているため、ユーザがNFCを用いた通信を行う際に、良好な通信品質をユーザに提供することが出来る。
【００１６】
この発明の上記および他の目的、特徴、局面および利点は、添付の図面と関連して理解されるこの発明に関する次の詳細な説明から明らかとなるであろう。
【図面の簡単な説明】
【００１７】
【図１】実施の形態１のアンテナ装置５００を示す図である。
【図２】通信端末装置１００のカバーを示す図である。
【図３】実施の形態２のアンテナ装置５００を示す図である。
【図４】実施の形態５のアンテナ装置５００を示す図である。
【図５】実施の形態６のアンテナ装置５００を示す図である。
【発明を実施するための形態】
【００１８】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００１９】
＜実施の形態１＞
図１は、実施の形態１のアンテナ装置５００を示す図である。アンテナ装置５００は、例えば、スマートフォンなどの通信端末装置に用いられ、例えば１３．５６ＭＨｚのようなＨＦ（High  Frequency）帯の電磁界信号によって通信するシステム用のアンテナとして用いられる。
【００２０】
図１（Ａ）は、フレキシブル基板１に対する磁性体コア１１および磁性体コア１２を挿入する方向を示す図である。図１（Ｂ）は、磁性体コア１１および磁性体コア１２が挿入されたアンテナコイル３を示す図である。図１（Ｃ）は、図１（Ｂ）のＣ−Ｃ線におけるアンテナ装置５００の断面を示す図である。図１（Ｄ）は、図１（Ｂ）のＤ−Ｄ線におけるアンテナ装置５００の断面を示す図である。図１（Ｅ）は、図１（Ｂ）のＥ−Ｅ線におけるアンテナ装置５００の断面を示す図である。図１（Ｆ）は、図１（Ｂ）のＦ−Ｆ線におけるアンテナ装置５００の断面を示す図である。
【００２１】
図１（Ａ）および図１（Ｂ）に示すように、アンテナコイル３は、フレキシブル基板１にコイル導体パターンが形成されたものである。アンテナコイル３の端部には電極が形成されている。図１（Ａ）に示すように、アンテナコイル３の一方の端部に端子電極３１が形成され、もう一方の端部に端子電極３２が形成されている。これら端子電極３１および端子電極３２は、図示しない給電回路に接続される。
【００２２】
フレキシブル基板１は、スリット状に形成された第１の開口部２１と第２の開口部２２とを含む。フレキシブル基板１は、第１の開口部２１において磁性体コア１１の挿入を第１の方向から受け付けるよう構成される。また、フレキシブル基板１は、第２の開口部２２において磁性体コア１２の挿入を第２の方向から受け付けるよう構成される。ここで、第１の開口部２１と第２の開口部２２とは、各開口部の長手方向の辺が略平行となるようフレキシブル基板１に形成されており、第２の方向は、第１の方向に対向する。図１（Ｃ）、図１（Ｄ）、図１（Ｅ）、図１（Ｆ）に示すように、フレキシブル基板１にパターン形成されたアンテナコイル３は、磁性体コア１１および磁性体コア１２に巻回される。
【００２３】
アンテナ装置５００は、第１の開口部２１において、図１（Ａ）に示すように磁性体コア１１の挿入を受け付ける。これにより、アンテナ装置５００において、指向性を有する磁束ループが発生する。図１（Ｄ）に、磁束ループの指向性を方向４１として示す。このように、図１（Ｂ）のＤ−Ｄ線の断面において発生する磁束ループの指向性の向きは、アンテナコイルの面に対して垂直な方向から傾いたものとなる。
【００２４】
同様に、アンテナ装置５００は、第２の開口部２２において、図１（Ａ）に示すように磁性体コア１２の挿入を受け付ける。これにより、図１（Ｅ）に方向４２として示すように指向性を有する磁束ループがアンテナ装置５００において発生する。図１（Ｂ）のＥ−Ｅ線の断面において発生する磁束ループの指向性の向きは、アンテナコイルの面に対して垂直な方向から傾いたものとなる。
【００２５】
図１（Ｂ）、図１（Ｄ）、および図１（Ｅ）を参照して、アンテナ装置５００は、複数の開口部（第１の開口部２１、第２の開口部２２）を備え、各開口部において磁性体コア１１等の磁性体コアそれぞれの挿入を受け付ける。アンテナ装置５００は、これら複数の磁性体コアの挿入を受け付けることで、方向４１と方向４２とに示すように、各開口部において磁束ループを発生させる。これら各開口部で発生する磁束ループの方向を合成すると、合成後の方向は、アンテナ装置５００のアンテナコイルの面に対して垂直な方向となる。すなわち、アンテナ装置５００は、第１の開口部２１で磁性体コア１１の挿入を受け付けることで発生する磁束ループの方向４１と、第２の開口部２２で磁性体コア１２の挿入を受け付けることで発生する磁束ループの方向４２とを合成した後の方向が、アンテナコイルの面に対して略垂直な方向（アンテナコイルの面に対して９０度となる方向が好ましい）となる。
【００２６】
アンテナ装置５００の各構成要素は、例えば、以下のように成形される。磁性体コア１１および磁性体コア１２は、フェライト粉と樹脂材との混成体が矩形板の形状に成形されたものである。アンテナコイル３を構成するコイル導体は、銅などの金属薄膜がフレキシブル基板１の表面に矩形の渦巻き状にパターン形成されたものである。フレキシブル基板１は、ポリイミドフィルムやＰＥＴフィルムなどである。
【００２７】
このように、アンテナ装置５００は、複数の磁性体コアの挿入を受け付けて、指向性を有する磁束ループの方向を２方向に分散させている。これら分散された磁束ループの指向性の方向を合成すると、アンテナ装置５００に発生する磁束ループは、アンテナコイル面に対して略垂直方向に指向性を有するものとなる。そのため、アンテナ装置５００は、Felica（登録商標）などに対応する既存の製品と通信する際の通信特性を改善することができる。
【００２８】
図１に示すアンテナ装置５００は、例えば、通信端末装置の筺体の内面に装着される。また、通信端末装置の筺体の外面には、通信端末装置の利用者に対してアンテナ装置５００の位置を示すためのマークが印字される。
【００２９】
図２は、通信端末装置１００のカバーを示す図である。アンテナ装置５００は、例えば、通信端末装置１００のバッテリーパックを保護するためのカバーケースの内面に装着される。図２（Ａ）は、カバー１１０の内面を示す図である。図２（Ｂ）は、カバー１１０の外面を示す図である。図２（Ｂ）に示すように、カバー１１０の外面に、アンテナ装置５００の位置を示すためのマーク１２０が印字される。通信端末装置の利用者は、マーク１２０の位置を確認しながら、NFCによる通信を行う。
【００３０】
通信端末装置１００は、図示しない回路基板を備え、この回路基板の表面および裏面には、通信端末装置１００の動作を制御するためのプロセッサ、メモリ、通信モジュール、各種センサ、給電回路、など様々な電子部品が搭載されている。アンテナ装置５００と、通信端末装置１００の回路基板（図示しない）とは、端子電極３１および端子電極３２を介して接続される。
【００３１】
＜実施の形態２＞
次に、実施の形態２のアンテナ装置について説明する。図３は、実施の形態２のアンテナ装置５００を示す図である。
【００３２】
図３（Ａ）は、実施の形態２のアンテナ装置５００において、フレキシブル基板１に対して磁性体コア１３が挿入される方向を示す図である。図３（Ａ）に示すように、フレキシブル基板１は、１つの磁性体コア１３の挿入を、第１の開口部２１と第２の開口部２２とにおいて受け付ける。図３（Ｂ）は、磁性体コア１３が挿入されたアンテナコイル３を示す図である。図３（Ｃ）は、図３（Ｂ）のＣ−Ｃ線におけるアンテナ装置５００の断面を示す図である。図３（Ｄ）は、図３（Ｂ）のＤ−Ｄ線におけるアンテナ装置５００の断面を示す図である。図３（Ｅ）は、図３（Ｂ）のＥ−Ｅ線におけるアンテナ装置５００の断面を示す図である。
【００３３】
図３（Ｄ）に示すように、アンテナ装置５００は、第１の開口部２１と第２の開口部２２とを含む。第１の開口部２１と第２の開口部２２とは、各開口部の長手方向の辺が略平行になるようフレキシブル基板１に形成されている。アンテナ装置５００は、第１の開口部２１において磁性体コア１３の挿入を第１の方向から受け付け、第２の開口部２２において磁性体コア１３の挿入を第２の方向から受け付けるよう構成される。ここで、第１の方向と第２の方向とは、互いに遠ざかる方向関係にある。また、アンテナ装置５００において、指向性を有する磁束ループが発生する。具体的には、図３（Ｄ）に方向４３Ａおよび方向４３Ｂとして示すように、指向性を有する磁束ループがアンテナ装置５００において発生する。これら開口部において発生する磁束ループの指向性の向きは、アンテナコイルの面に対して垂直な方向から傾いたものとなっている。これら各開口部で発生する磁束ループの方向を合成すると、合成後の方向は、図３（Ｄ）において方向４３Ｃとして示すように、アンテナ装置５００のアンテナコイルの面に対して略垂直な方向となる。
【００３４】
このように、アンテナ装置５００は、複数の開口部（第１の開口部２１、第２の開口部２２）を備え、各開口部において、１の磁性体コアの挿入を受け付ける。このとき、各開口部において発生する磁束ループの指向性の方向が２方向に分散され、これら磁束ループの指向性の方向を合成した場合に、合成後の方向がアンテナコイルの面に対して略垂直な向となる。
【００３５】
＜実施の形態３＞
実施の形態３は、実施の形態２のアンテナ装置の変形例である。上記の実施の形態２の説明では、複数の開口部に対し、１の磁性体が挿入される場合を説明したが、図３（Ｆ）および図３（Ｇ）、図３（Ｈ）および図３（Ｉ）に示すように、各開口部に対し、それぞれ別の磁性体コアを挿入することとしてもよい。
【００３６】
図３（Ｆ）は、磁性体コア１４Ａおよび磁性体コア１４Ｂの２つの磁性体コアをアンテナコイル３に挿入することでアンテナ装置を形成する場合を示す図である。図３（Ｇ）は、図３（Ｆ）のＧ−Ｇ線におけるアンテナ装置５００の断面を示す図である。
【００３７】
図３（Ｇ）に示すように、アンテナ装置５００は、第１の開口部２１において磁性体コア１４Ａの挿入を第１の方向から受け付けることで、方向４４Ａの向きに指向性を有する磁束ループを発生させる。また、アンテナ装置５００は、第２の開口部２２において磁性体コア１４Ｂの挿入を第２の方向から受け付けることで、方向４４Ｂの向きに指向性を有する磁束ループを発生させる。ここで、第１の方向と第２の方向とは、互いに遠ざかる方向関係にある。これら磁束ループの方向を合成すると、図３（Ｇ）に方向４４Ｃとして示すように、アンテナコイル面に対して略垂直方向となる（方向４４Ｃ）ようアンテナ装置５００が構成される。
【００３８】
＜実施の形態４＞
実施の形態４は、実施の形態２の変形例である。図３（Ｈ）は、磁性体コア１５Ａおよび磁性体コア１５Ｂの２つの磁性体コアをアンテナコイル３に挿入することでアンテナ装置を形成する場合を示す図である。図３（Ｉ）は、図３（Ｈ）のＩ−Ｉ線におけるアンテナ装置５００の断面を示す図である。
【００３９】
図３（Ｈ）に示すように、アンテナ装置５００は、第１の開口部２１において磁性体コア１５Ａの挿入を第１の方向から受け付けることで、方向４５Ａの向きに指向性を有する磁束ループを発生させる。また、アンテナ装置５００は、第２の開口部２２において磁性体コア１５Ｂの挿入を受け付けることで方向４５Ｂの向きに指向性を有する磁束ループを発生させる。ここで、第１の方向と第２の方向とは、対向する関係にある。これら磁束ループの方向を合成すると、図３（Ｉ）に方向４５Ｃとして示すように、アンテナコイル面に対して略垂直方向となる（方向４５Ｃ）ようアンテナ装置５００が構成される。
【００４０】
＜実施の形態５＞
次に、実施の形態５のアンテナ装置について説明する。図４は、実施の形態５のアンテナ装置５００を示す図である。
【００４１】
図４（Ａ）は、実施の形態５のアンテナ装置５００において、フレキシブル基板１に対して磁性体コア１６Ａ、磁性体コア１６Ｂ、磁性体コア１６Ｃ、および磁性体コア１６Ｄが挿入される方向を示す図である。図４（Ａ）に示すように、フレキシブル基板１は、第１の開口部２１および第２の開口部２２の各開口部において、複数の磁性体コアの挿入を受け付ける。このとき、各開口部において、２つの磁性体コアそれぞれが挿入される方向は、対向している。図４（Ｂ）は、磁性体コア１６Ａ、磁性体コア１６Ｂ、磁性体コア１６Ｃ、および磁性体コア１６Ｄが挿入されたアンテナコイル３を示す図である。図４（Ｃ）は、図４（Ｂ）のＣ−Ｃ線におけるアンテナ装置５００の断面を示す図である。図４（Ｄ）は、図４（Ｂ）のＤ−Ｄ線におけるアンテナ装置５００の断面を示す図である。
【００４２】
図４（Ｃ）に示すように、アンテナ装置５００は、第１の開口部２１において磁性体コア１６Ａの挿入を受け付け、第２の開口部２２において磁性体コア１６Ｂの挿入を受け付けるよう構成される。これにより、アンテナ装置５００において、指向性を有する磁束ループが発生する。具体的には、図４（Ｃ）に方向４６Ａおよび方向４６Ｂとして示すように、指向性を有する磁束ループがアンテナ装置５００のＣ−Ｃ線における断面において発生する。これら磁束ループの方向を合成すると、合成後の方向は、図４（Ｃ）において方向４６Ｃとして示すように、アンテナ装置５００のアンテナコイルの面に対して傾いた方向となる。
【００４３】
アンテナ装置５００は、第１の開口部２１において磁性体コア１６Ｃの挿入を受け付け、第２の開口部２２において磁性体コア１６Ｄの挿入を受け付けるよう構成される。これにより、アンテナ装置５００において、指向性を有する磁束ループが発生する。具体的には、図４（Ｄ）に方向４７Ａおよび方向４７Ｂとして示すように、指向性を有する磁束ループがアンテナ装置５００のＤ−Ｄ線における断面において発生する。これら磁束ループの方向を合成すると、合成後の方向は、図４（Ｄ）において方向４７Ｃとして示すように、アンテナ装置５００のアンテナコイルの面に対して傾いた方向となる。
【００４４】
このように、方向４６Ｃは、アンテナコイル３に磁性体コア１６Ａおよび磁性体コア１６Ｂを挿入することによる磁束ループの方向を合成したものである。また、方向４７Ｃは、アンテナコイル３に磁性体コア１６Ｃおよび磁性体コア１６Ｄを挿入することによる磁束ループの方向を合成したものである。そのため、方向４６Ｃの方向と、方向４７Ｃの方向とを合成すると、アンテナ装置５００の各開口部で発生する磁束ループの方向を合成した方向となり、合成後の方向は、アンテナ装置５００のアンテナコイルの面に対して略垂直な方向となる。すなわち、アンテナ装置５００は、複数の開口部（第１の開口部２１、第２の開口部２２）を備え、各開口部において、複数の磁性体コアの挿入を受け付ける。このとき、各開口部において発生する磁束ループの指向性の方向が、２方向以上に分散され、これら磁束ループの指向性の方向を合成した場合に、合成後の方向がアンテナコイルの面に対して略垂直な方向となる。
【００４５】
＜実施の形態６＞
図５は、実施の形態６のアンテナ装置５００を示す図である。実施の形態６は、実施の形態５の変形例である。
【００４６】
図５（Ａ）は、実施の形態６のアンテナ装置５００において、フレキシブル基板１に対して磁性体コア１７Ａ、磁性体コア１７Ｂ、磁性体コア１７Ｃ、および磁性体コア１７Ｄが挿入される方向を示す図である。図５（Ａ）に示すように、フレキシブル基板１は、第１の開口部２１および第２の開口部２２の各開口部において、複数の磁性体コアの挿入を受け付ける。このとき、各開口部において、２つの磁性体コアそれぞれが挿入される方向は、対向している。図５（Ｂ）は、磁性体コア１７Ａ、磁性体コア１７Ｂ、磁性体コア１７Ｃ、および磁性体コア１７Ｄが挿入されたアンテナコイル３を示す図である。図５（Ｃ）は、図５（Ｂ）のＣ−Ｃ線におけるアンテナ装置５００の断面を示す図である。図５（Ｄ）は、図５（Ｂ）のＤ−Ｄ線におけるアンテナ装置５００の断面を示す図である。
【００４７】
図５（Ｃ）に示すように、アンテナ装置５００は、第１の開口部２１において磁性体コア１７Ａの挿入を受け付け、第２の開口部２２において磁性体コア１７Ｂの挿入を受け付けるよう構成される。これにより、アンテナ装置５００において、指向性を有する磁束ループが発生する。具体的には、図５（Ｃ）に方向４８Ａおよび方向４８Ｂとして示すように、指向性を有する磁束ループがアンテナ装置５００のＣ−Ｃ線における断面において発生する。これら磁束ループの方向を合成すると、合成後の方向は、図５（Ｃ）において方向４８Ｃとして示すように、アンテナ装置５００のアンテナコイルの面に対して垂直な方向となる。
【００４８】
アンテナ装置５００は、第１の開口部２１において磁性体コア１７Ｃの挿入を受け付け、第２の開口部２２において磁性体コア１７Ｄの挿入を受け付けるよう構成される。これにより、アンテナ装置５００において、指向性を有する磁束ループが発生する。具体的には、図５（Ｄ）に方向４９Ａおよび方向４９Ｂとして示すように、指向性を有する磁束ループがアンテナ装置５００のＤ−Ｄ線における断面において発生する。これら磁束ループの方向を合成すると、合成後の方向は、図５（Ｄ）において方向４９Ｃとして示すように、アンテナ装置５００のアンテナコイルの面に対して垂直な方向となる。
【００４９】
このように、方向４８Ｃは、アンテナコイル３に磁性体コア１７Ａおよび磁性体コア１７Ｂを挿入することによる磁束ループの方向を合成したものである。また、方向４９Ｃは、アンテナコイル３に磁性体コア１７Ｃおよび磁性体コア１７Ｄを挿入することによる磁束ループの方向を合成したものである。そのため、方向４８Ｃの方向と、方向４９Ｃの方向とを合成すると、アンテナ装置５００の各開口部で発生する磁束ループの方向を合成した方向となり、合成後の方向は、アンテナ装置５００のアンテナコイルの面に対して略垂直な方向となる。
【００５０】
（まとめ）
各実施形態のアンテナ装置は、アンテナコイルに対し、磁性体コアを複数の方向から挿入している。これにより、従来、一方向に集中していた磁束を２以上の方向に分散させ、これら分散させた磁束を合成した方向を、アンテナの平面の略垂直方向にしている。アンテナの平面に対し、磁束が略垂直方向に向いている構成は、従来の通常のループアンテナと同様の構成である。そのため、アンテナ装置は、通信相手となるアンテナのアンテナサイズにかかわらず、アンテナの中央部を、通信特性の良好な位置とすることができる。
【００５１】
今回開示された実施の形態はすべての点で例示であって制限的なものでないと考えられるべきである。この発明の範囲は上記した説明ではなくて特許請求の範囲によって示され、特許請求の範囲と均等の意味および範囲内でのすべての変更が含まれることが意図される。
【符号の説明】
【００５２】
１１，１２，１３，１４，１５，１６，１７  磁性体コア、２１  第１の開口部、２２  第２の開口部、３１，３２  端子電極、４１，４２，４３，４４，４５，４６，４７，４８，４９  方向、１００  通信端末装置、１１０  カバー、１２０  マーク、５００  アンテナ装置。
【図１】
2015032840.tif 000003
【図２】
2015032840.tif 000004
【図３】
2015032840.tif 000005
【図４】
2015032840.tif 000006
【図５】
2015032840.tif 000007